(57)【要約】１以上の携帯機器を収容し、それらと通信するように構成されたドッキングステーションである。取替え可能なドッキングモジュールはドッキングステーションに取り外し可能に係合し得る。このドッキングモジュールは携帯機器を収容するように構成される。携帯機器がドッキングモジュールに収容（「ドッキング」）されると、ドッキングステーションは携帯機器を充電するために電流を供給するように動作し得る。ドッキングステーションと携帯機器との間の通信リンクも確立し得る。ユーザはドッキングステーションを用いて様々な機能を設定することができる。【選択図】図１
2014521292.tif 000002
【特許請求の範囲】
【請求項１】
携帯機器用のドッキングステーションであって、前記ドッキングステーションは、
（ａ）前記携帯機器を収容するように構成され且つ前記ドッキングステーションの表面に取り外し可能に係合できる、取替え可能なドッキングモジュールと、
（ｂ）前記ドッキングステーションと前記携帯機器との間の通信を可能にするように動作する通信モジュールと、
を備える、ドッキングステーション。
【請求項２】
前記ドッキングモジュールは前記携帯機器に充電電流を供給するように動作する、請求項１記載のドッキングステーション。
【請求項３】
前記充電電流は前記携帯機器に無線で供給する、請求項２記載のドッキングステーション。
【請求項４】
前記無線充電は誘導充電である、請求項３記載のドッキングステーション。
【請求項５】
前記通信モジュールは前記ドッキングモジュールが前記充電電流を供給するときにのみ通信を可能にする、請求項２記載のドッキングステーション。
【請求項６】
前記通信はブルートゥース、ＩＥＥＥ８０２．１１、赤外線又は無線周波数で与えられる、請求項１記載のドッキングステーション。
【請求項７】
前記表面はユーザ対向表面である、請求項１記載のドッキングステーション。
【請求項８】
マイクロフォン及びスピーカをさらに備える、請求項１記載のドッキングステーション。
【請求項９】
前記マイクロフォン及びスピーカは前記携帯機器を介して全二重スピーカフォン通信を提供する、請求項８記載のドッキングステーション。
【請求項１０】
音声通信を調整するディジタル信号プロセッサをさらに備える請求項８記載のドッキングステーション。
【請求項１１】
前記スピーカの出力信号を増幅する電力増幅器をさらに備える、請求項８記載のドッキングステーション。
【請求項１２】
前記携帯機器を制御する複数のボタンをさらに備える、請求項１記載のドッキングステーション。
【請求項１３】
前記ボタンの１つ以上は前記携帯機器のユーザ指定機能を制御する、請求項１２記載のドッキングステーション。
【請求項１４】
前記ドッキングモジュールは前記携帯機器の視角の調整を可能にするピボットを備える、請求項１記載のドッキングステーション。
【請求項１５】
取り付け支持台をさらに備える、請求項１記載のドッキングステーション。
【請求項１６】
前記取り付け支持台は前記ドッキングステーションの視角の調整を可能にするために湾曲通路を備える、請求項１５記載のドッキングステーション。
【請求項１７】
前記取り付け支持台は前記ドッキングステーションの旋回を可能にするためにスイベルを備える、請求項１５記載のドッキングステーション。
【請求項１８】
携帯機器用のドッキングステーションであって、前記ドッキングステーションは、
（ａ）前記携帯機器に電荷を供給するように構成されたドッキングモジュールと、
（ｂ）前記電荷の供給時に前記ドッキングステーションと前記携帯機器との間の通信を可能にするよう動作する通信モジュールと、
を備える、ドッキングステーション。
【発明の詳細な説明】
【技術分野】
【０００１】
〔相互参照〕
本出願は、２０１１年７月１１日に出願された米国特許出願第６１／５０６，２３６号の優先権を主張するものである。この米国特許出願は参照することにより本明細書に組み込まれる。
【０００２】
本発明は一般に携帯機器用のドッキングステーションに関する。本発明は、もっと正確に言えば、携帯機器を充電し、携帯機器による音声、ビデオ及び/又はデータの通信を可能にするよう動作するドッキングステーションに関する。
【背景技術】
【０００３】
近年、携帯電話は世界中で多くのビジネスに欠かせないものとなってきている。利用者はこのような携帯機器を好んで伝統的な固定電話を益々使わなくなっている。
【０００４】
しかしながら、特にオフィス環境内における主電気通信方法として固定電話ではなく携帯電話を使用することには幾つかの不利がある。このような不利の一つは、一部の利用者は携帯電話を使って長時間通話することに不満を感じている。これは、一つには、多くの携帯電話の内臓スピーカ及びマイクロフォンの大きさ及び品質に限界があるせいである。一部の携帯電話はハンドフリー機能を可能にするためにスピーカフォンを含んでいるが、多くの利用者はこのようなスピーカフォンの音質は良くないと感じている。このような実装はまた、複数の人が同じ室内で一台の携帯電話を共用する電話会議のような特定の状況に不利である。同様に、この設計は、審美性及びコンパクト性を優先して、人間工学的側面がないがしろにされる場合が多い。携帯電話は、一般に利用者が手に持ったとき手にストレインを生じさせるサイズ及び形状にされる。
【０００５】
携帯電話はまた電池容量に制限がある。ユーザは時々携帯電話の充電を忘れ、ユーザは電池残量を節約するために携帯電話を設定しなおすか、携帯電話を日中ターンオフしなければならなくなる。
【０００６】
本発明の目的は上述した欠点の１以上を除去もしくは軽減することにある。
【発明の概要】
【０００７】
一つの態様において、携帯機器用のドッキングステーションが提供され、前記ドッキングステーションは、（ａ）前記携帯機器に電荷を供給するように構成されたドッキングモジュール及び（ｂ）前記電荷の供給時に前記ドッキングステーションと前記携帯機器との間の通信を可能にするよう動作する通信モジュールを備える。
【０００８】
別の態様において、携帯機器用のドッキングステーションが提供され、前記ドッキングステーションは、（ａ）前記携帯機器を収容するように構成され且つ前記ドッキングステーションの表面に取り外し可能に係合できる取替え可能ドッキングモジュール、及び（ｂ）前記ドッキングステーションと前記携帯機器との間の通信を可能にするよう動作する通信モジュールを備える。
【０００９】
本発明の実施形態を添付図面を参照してほんの一例として以下に記載する。
【図面の簡単な説明】
【００１０】
【図１】一実施形態におけるドッキングステーションの正面図である。
【図２】そのドッキングステーションの正面斜視図である。
【図３】別の実施形態におけるドッキングステーションの正面図である。
【図４】ドッキングモジュールが取り外されたドッキングステーションの正面図である。
【図５】ドッキングモジュールの正面斜視図である。
【図６】一実施形態における取り付け支持体上のドッキングステーションの側面図である。
【図７】別の実施形態における取り付け支持体上のドッキングステーションの背面図である。
【図８】取り付け支持体のないドッキングステーションの背面図である。
【図９】ドッキングステーションの概略構成図である。
【図１０】携帯機器の一例の概略構成図である。
【図１１】ドッキングステーションへの携帯機器のドッキングを説明するフローチャートである。
【図１２】ドッキングステーションと携帯機器との間の接続を示すブロック図である。
【発明を実施するための形態】
【００１１】
以下に図面を参照して幾つかの実施形態を説明する。説明を簡単且つ明瞭にするために、必要に応じて、対応もしくは類似する要素が全図を通して同じ参照番号で繰り返し示されていることに留意されたい。さらに、ここに記載する実施形態の完全な理解を提供するために多くの具体的な詳細が記載されている。しかしながら、当業者であれば、ここに記載する実施形態はこれらの具体的な詳細の記載がなくても実施できることは理解されよう。そのほかに、ここに記載する実施形態を不明瞭にしないように、周知の方法、手順及びコンポーネントについては詳しく記載されていない。また、この詳細な説明はここに記載する実施形態の範囲を限定するものではない。
【００１２】
ここに例示される、命令を実行するモジュール、コンポーネント、サーバ、コンピュータ、端末又は機器のいずれも、記憶媒体、コンピュータ記憶媒体などのコンピュータ読み取り可能な記憶媒体、又は磁気ディスク、光ディスク又はテープ等の（リムーバブル及び／又は非リムーバブル）データ記憶装置を含むか、さもなければそれらにアクセスすることができる。コンピュータ記憶媒体は、コンピュータ読み取り可能な命令、データ構造、プログラムモジュール又は他のデータなどの情報の任意の記憶方法及び技術で実装される揮発性及び不揮発性のリムーバブル及び非リムーバブル媒体を含むことができる。コンピュータ記憶媒体の例は、ＲＡＭ、ＲＯＭ、ＷＷＰＲＯＭ、フラッシュメモリ又は他のメモリ技術、ＣＤ−ＲＯＭ、ディジタル多用途ディスク（ＤＶＤ）又は他の光記憶デバイス、磁気カセット、磁気テープ、磁気記憶ディスク又は他の磁気記憶装置、又は所望の情報を格納するために使用可能で、アプリケーション、モジュール又はその両方でアクセスされ得る他の任意の媒体、を含むことができる。このような任意のコンピュータ記憶媒体は装置の一部分又はそれにアクセス又は接続可能なものとすることができる。ここに記載するアプリケーション又はモジュールはこのようなコンピュータ記憶媒体により記憶又は保持することができるコンピュータ読み取り可能／実行可能な命令を用いて実装することができる。
【００１３】
本発明は、１以上の携帯機器を収容し、それらと通信するように構成されたドッキングステーションを提供する。このドッキングステーションはドッキングモジュールを備えるか、それと係合するように構成される。このドッキングモジュールは携帯機器を収容するように構成される。携帯機器はドッキングモジュールに収容され（「ドッキング」され）、ドッキングステーションは携帯機器を充電するために携帯機器に電流を供給するように動作することができる。ドッキングステーションと携帯機器との間の通信リンクも確立することができる。ユーザはドッキングステーションを使って種々のコマンドを携帯機器に与えることができる。
【００１４】
携帯機器は、例えばセルラーフォン、スマートフォン、携帯情報端末（ＰＤＡ）、タブレットコンピュータ、又は音声、ビデオ及び／又はデータ通信を提供する任意の他の携帯機器とすることができ、セルラー、２Ｇ、３Ｇ、４Ｇ、５Ｇ等、ＷＩ−ＦＩ（ＩＥＥＥ８０２．１１）、ＷｉＭＡＸ、ＶｏＩＰ又は他のプロトコルによるものかどうかは問わない。携帯機器はさらに、他の機器との通信接続を確立するように動作することができる。例えば、携帯機器は他の機器との短距離無線通信を可能にする短距離無線通信モジュールを備えることができる。短距離無線通信の例は、ブルートゥース（登録商標）、ＷｉＦｉ（８０２．１１）、赤外（ＩＲ）無線周波数（ＲＦ）、及び他の通信プロトコルを含むが、これらに限定されない。一例では、携帯機器はブルートゥースモジュールを含み、ブルートゥースプロトコルに従って他の機器と短距離で通信することができる。
【００１５】
次に図１及び図２につき説明すると、ドッキングステーション１０は携帯機器５０を収容するように構成されたドッキングモジュール１１を備えるか、それと係合するように構成される。好ましくは、ドッキングモジュール１１はドッキングステーション１０の前面（例えばユーザ対向表面）上に設けられるか、その表面と係合可能に構成される。
【００１６】
ドッキングステーション１０はさらに、オーディオスピーカ１３と、マイクロフォン１４と、別のマイクロフォン及び／又は別のオーディオスピーカを備えるハンドセット１５と、複数のボタン１７、１９、２５を備える。複数のボタンは、例えば数字ダイアルパッド１７、音量アップ／ダウン制御キー及びスピーカフォントグルキー１９及び一組の設定機能キー２５を備えることができる。明らかなように、これらの複数のボタンのいずれかは省略もしくは変更することができる。
【００１７】
ドッキングモジュール１１は充電アダプタ２３を備える。好ましくは、充電アダプタ２３は対応する携帯機器を載せることで収容できる大きさ及び形状を有する。充電アダプタ２３は１以上の充電モジュール及び通信状態表示器（図示せず）を備えることができる。１以上の充電モジュールは、例えば携帯機器の充電口と係合するように構成された有線ポート及び携帯機器の誘導充電素子を介して携帯機器の電池に電荷を供給するように動作し得る誘導充電素子を含むことができる。充電アダプタ２３は、ユーザが携帯機器５０を容易にドッキング又はアンドッキングできるようにドッキングモジュール１１の本体から突出させることができる。
【００１８】
ドッキングモジュール１１は、例えば携帯機器５０がドッキングされている間、ユーザが携帯機器５０のディスプレイをより見易くするために携帯機器５０の視角を調整することを可能にするピボットをさらに含むことができる。このピボットはドッキングモジュール１１を適切な角度まで傾けることができる。様々な携帯機器を収容するように構成された様々な形状及びサイズを有する多くの他のドッキングモジュール１１を提供することができることは理解されよう。さらに、ドッキングステーション１０は調整可能な取り付け支持台３００を備えることができる。
【００１９】
オーディオスピーカ１３及びマイクロフォン１４は、携帯機器５０に内蔵されたスピーカ又はドッキングステーション１０上のハンドセットを使用することなくハンドフリー通信を可能にするように動作する。オーディオスピーカ１３及びマイクロフォン１４は、例えばユーザが呼中の任意の時点で機能キー２５のいずれか１つを押すことによって、又はハンドセットをドッキングステーション上の休止位置から持ち上げることによって、手動的に駆動することができる。一実施形態では、ユーザはドッキングステーション１０を通話のために常にオーディオスピーカ１３及びマイクロフォン１４を駆動するようにセットすることができる。好ましい実施形態では、オーディオスピーカ１３及びマイクロフォン１４はオーディオ信号の同時送信及び受信を可能にする全二重スピーカフォンを提供する。スピーカフォンはディジタル信号処置モジュールにリンクされ、例えば送信又は受信されるオーディオ信号からエコーや背景雑音等の望ましくないオーディオ効果を低減するために音声通信を調整するためにことができる。スピーカは信号出力を増大するために電力増幅可能とすることができる。オーディオスピーカ１３及び／又はマイクロフォン１４の音量は音量アップ／ダウン制御キー１９を用いて調整することができる。オーディオスピーカ１３及び／又はマイクロフォン１４の技術的特性は適切な音量及び明瞭度を提供するように選択することができることは理解されよう。
【００２０】
ユーザがダイアルパッド１７を使って電話番号をダイアルする場合、任意選択で伝統的な電話に似せてダイアルトーンをスピーカフォン及び／又はハンドセットから出力させることができる。
【００２１】
ハンドセット１５は通話中のユーザのプライバシーを保護することができる。ハンドセット１５は無線接続又は有線接続でドッキングステーション１０に接続することができる。ハンドセット１５及び／又はドッキングステーション１０は、ハンドセット１５がユーザによってドッキングステーションから外されたとき、ハンドセット１５を自動的に駆動するように構成することができる。例えば、受け部２７はハンドセットをドッキングステーション１０の表面に保持するためにハンドセットの一部分の大きさ及び形状にほぼ対応する大きさ及び形状にすることができる。受け部及びハンドセットのいずれか一方又は両方に、ハンドセットが受け部に保持されているかどうかを検出するための機械的、電気的又は電気機械的スイッチを含めることができる。
【００２２】
機能キー２５の１つ以上は音声通信をスピーカフォン１３とハンドセット１５との間でトグル又は切り替えるように構成することができる。機能キー２５はドッキングステーションの任意の他の機能、例えばミュートを動作させるように構成することもできる。機能キー２５の１以上はさらに、ドッキングステーションと携帯機器との間の特定の通信接続によってサポートされる携帯機器のユーザ指定機能（例えば、着信転送、電話会議、連絡先リスト、携帯機器のユーザインタフェースナビゲーション）を開始するように構成することができる。機能キー２５はさらに、機能キーにドッキングステーション及び／又は携帯機器のどの機能を割り当てるかというユーザの好み基づく設定又は再設定を行うことができるように構成することができる。スピーカフォン１３と同様に、ハンドセットスピーカの音量もアップ／ダウン音量制御キー１９を使って調整することができる。
【００２３】
図２に示す取り付け支持台３００はドッキングステーション１０の高さ及び角度の調整をユーザに可能にするよう動作する。図６は取り付け支持台３００の別の実施形態を示し、この例ではドッキングステーション１０の視角を取り付け支持台３００の湾曲パス３０２に沿って習動可能に調整することができる。
【００２４】
図７は取り付け支持台３００のさらに別の実施形態を示す。この例では取り付け支持台３００はドッキングステーション１０を円状に旋回し得るスイベルを備える。
【００２５】
ドッキングステーション１０はさらに、ドッキングステーション１０の背面上に、取り付け支持台３００と嵌合するように構成された支持体アダプタ３１０を備える。
【００２６】
ダイアルパッド１７は、携帯機器５０がドッキングされたとき、通話を開始するためにユーザが電話番号を入力できるようにする。ダイアルパッドを構成する個々のキーは種々の数字及び文字に割り当てることができる。ダイアルパッド１７はさらに、携帯機器の様々な機能、例えば番号のダイアル機能、テキストメッセージ又はｅメール作成時のテキスト入力機能、及び携帯機器に表示されるメニュー及び選択の検索機能、を使用するように設定することができる。ダイアルパッド１７は、ユーザが、例えば携帯機器５０に格納された電話番号リストから目的の受信者を検索及び選択し、携帯機器５０の予めプログラムされた高速ダイアル機能にアクセスする等の複雑な作業を実行できるようにすることもでき、その結果ユーザは電話をするために目的の受信者の電話番号の全部をダイアルする必要はなくなる。
【００２７】
図に示すドッキングステーション１０は家庭やオフィス環境で使用できるが、ドッキングステーション１０は車両、台所用品又は本発明を利用し得る他の環境内に設けることもできることに留意されたい。
【００２８】
次に図４を参照すると、ドッキングモジュールのないドッキングステーション１０が示されている。ドッキングステーション１０はドッキングモジュールを安全に取り付けるように構成された１以上の陥凹部１５０、１７０を備えることができる。
【００２９】
図５はドッキングモジュール１１の一例を示す。ドッキングモジュール１１はドッキングステーション１０にドッキングモジュール１１を取り付けることができる１以上の取り付け素子７０を備える。取り付け素子を保持する実例としては、カンチレバー型スナップフィット、環状スナップシット、ねじ、磁気吸着、ＶＥＬＣＲＯ(登録商標)、ドロップイン又はスライドインスロット、フリクションフィット、及び他の機械的又は電磁的結合機構、又はそれらの任意の組み合わせが含まれる。
【００３０】
取り付け素子はドッキングステーション１０の対応する保持素子によって保持される。例えば、図５に示す取り付け素子７０は図４に示すドッキングステーション１０に設けられた対応する陥凹部１５０により保持することができる。
【００３１】
図４はさらにカンチレバー型スナップフィットを取り外し可能に取り付けることができる開口部１７０を示している。
【００３２】
取り付け素子７０は保持素子と取り外し可能に係合できるように構成し、ドッキングモジュールを取り換え可能にするのが好ましい。
【００３３】
１以上の取り付け素子７０はさらに電流伝送素子（図示せず）を備えるか、それに設けることができる。この電流伝送素子によってドッキングステーション１０は電流をドッキングモジュール１１に供給することができるようになり、その電流をドッキング時に携帯機器５０に供給することが可能になる。電流伝送素子は非接触電流伝送素子とすることもでき、その場合には電流伝送素子はドッキングモジュール１１の表面内又は上に設けることができることは理解されよう。
【００３４】
ドッキングモジュール１１は取り換え可能にし得るので、ドッキングモジュール１１は特定のモデルの携帯機器５０を１以上の向きでドッキングできるようにする、又は様々な異なるモデルの携帯機器５０を１以上の向きでドッキングできるようにすることができる。例えば、携帯機器５０は図１に示すように縦向きにドッキングすることができる。また、携帯機器５０は図３に示すように横向きに又は斜めにドッキングすることができる。
【００３５】
好ましくは、複数のドッキングモジュール１１が設けられ、各ドッキングモジュールは１以上の様々なモデルの携帯機器５０を収容するように構成される。こうすれば、様々なユーザが様々なモデルの携帯機器５０を選択する又はそれらの使用を要求するので、ドッキングステーション１０を多くの様々な携帯機器５０に対して使用することができる。
【００３６】
さらに、ドッキングモジュール１１はドッキングステーション１０に取り外し可能に係合できるので、ユーザが携帯機器５０を取り替えるとき又は他のモデルの携帯機器５０を持つ他のユーザがドッキングステーション１０を使いたいときに、様々なドッキングモジュール１１を交換することができる。
【００３７】
次に図９につき説明すると、ドッキングステーション１０は短距離無線通信モジュール３０を備えることができる。短距離無線通信モジュール３０はドッキングステーション１０と携帯機器５０との間でデータを無線で送信及び受信するように動作することができる。短距離無線通信モジュール３０は、例えばブルートゥースプロトコルを実装することができる。ブルートゥースモジュールのような典型的な短距離無線通信モジュールの場合には、データはホストコントローラインタフェース（ＨＣＩ）３２を介して送信及び受信される。
【００３８】
無線通信モジュール３０はさらにマイクロプロセッサ３４、メモリ３６及びアンテナを含む。マイクロプロセッサ３４は主として通信目的の電子信号を処理するが、他の情報も処理できる。好ましい実施形態では、マイクロプロセッサ３４はドッキングステーション１０のすべての入力／出力モジュールからの及びへのすべての電子信号を処理するので、追加のマイクロプロセッサを必要としない。ドッキングステーション１０と携帯機器５０との間で接続が確立されると、電気通信チャネルを介して携帯機器５０で受信される入力データの少なくとも一部分が短距離無線通信リンクを経てＨＣＩ３２に送信される。同様に、ドッキングステーション１０上の入力モジュールで受信されるすべてのデータが短距離無線通信リンクを経て携帯機器５０に送信され、処理されたデータがその後電気通信チャネルを経て受信者に送られる。無線通信モジュール３０は主として電気通信データを送信するために使用されるが、例えば保存音声メッセージのオーディオファイル又はミュージックファイル等の他の形態のデータをオーディオスピーカ１３に送信するために使用することもできる。
【００３９】
加えて、接続が確立されたとき、接続状態表示器をトグル又は点滅させることができる。例えば、接続状態表示器は、接続が存在しないきターンオンし、接続が存在するときターンオフする、又はその逆とすることができる。また、接続状態表示器は接続が存在する間点滅させることもできる。また、接続状態表示器は接続が最初に確立されるとき所定の期間点滅させることもできる。さらに、接続状態表示器は、接続が切断されるとき、トグル又は点滅させることもできる。
【００４０】
図１０は典型的な携帯機器の一例を示す。典型的な携帯機器は、プロセシングユニット５２、リムーバブルメモリ５６、非リムーバブルメモリ５４、電気通信モジュール６０、及び短距離無線通信モジュール６２を含むものとし得る。ドッキングステーション１０の短距離無線通信モジュール３０は携帯機器の短距離無線通信モジュール６２とコンパチブルな少なくとも１つのプロトコルを実装することは理解されよう。これに関連して、携帯機器５０とドッキングステーション１０との間でペアリングルーチンを実行することが要求されることは理解されよう。
【００４１】
典型的な携帯機器５０はさらに、ディスプレイ、タッチスクリーン、ダイアルパッド、キーボード等の入力装置、スピーカ、マイクロフォン、及びカメラを備えることができる。カメラは、例えばリアルタイムビデオフィードを音声通信中に受信者又は一群の受信者に送信することによって、ビデオ会議のために使用することができる。
【００４２】
携帯機器はさらに、音声認識を可能にするオーディオ信号処理ユニット備えることができる。例えば、オーディオ信号処理ユニットは、マイクロフォン１４又はハンドセット１５で受信されたユーザの音声コマンドを携帯機器の操作に変換するように動作し得る。このような操作は、例えば所望の電話番号のダイアリング、又はビデオ会議の開始等とすることができる。
【００４３】
携帯機器は上述した様々な方法を用いてドッキングステーションにドッキングさせることができる。例えば、ユーザは携帯機器５０の充電を開始するように携帯機器をドッキングモジュール１１の上に置くことができ、例えば携帯機器５０をドッキングステーション１０の上に、充電ポート２３が充電口と係合するように置くことができる。
【００４４】
携帯機器５０がドッキングステーション１０にドッキングされると、ドッキングステーション１０はその短距離無線通信モジュール３０を使って（幾つかの例ではペアリングルーチンの実行後に）携帯機器５０との通信リンクの確立を自動的に試みることができる。一実施形態では、ドッキングステーション１０はユーザに、通信リンクを確立する試みがなされる前に電話がつながっていることを確認するように指示することができる。別の実施形態では、ユーザは、携帯機器５０を使って最初にドッキングステーション１０をその使用可能ネットワーク内に置き、次に携帯機器を充電ポート２３に物理的に置かないでドッキングステーション１０への接続を選択することによって、手動的に通信リンクを確立することができる。
【００４５】
一態様では、ドッキングステーション１０と携帯機器５０との間の通信リンクは、偶発的な通信リンクをなくすために携帯機器５０がドッキングステーション１０にドッキングされるときにのみ確立される。
【００４６】
次に図１１を参照して、ドッキングステーション１０の動作について説明する。携帯機器がドッキングモジュール１１の上に置かれる。ドッキングモジュールは携帯機器の電池を充電するために充電ポートから携帯機器に電荷を供給する。これに応じて、ドッキングステーションは携帯機器のドッキングを検出する（１０２）。ドッキングステーションは自動的に携帯機器との無線通信リンクの確立を試行し（１０４）、ドッキングステーションは通信リンクの確立が成功したかどうかを決定する。ドッキングステーションが、通信リンクが確立されなかったことを決定する場合には（１０６）、通信リンクの確立の失敗がユーザに通知され、ドッキングステーションは通信リンクの確立を再び試行することができる（１０８）。別の実施形態では、ユーザはドッキングステーションが携帯機器との通信リンクの確立を試みることができる最大回数を指定することができる。ドッキングステーションは、携帯機器との通信リンクが確立されたことを確認できると（１１０）、それを簡単な可視又は音声キューでユーザに知らせることができる。
【００４７】
次に図１２を参照して、ドッキングステーションと携帯機器との間の接続について説明する。携帯機器は電気通信モジュール６０を介して電気通信網２００との通信を維持する。電気通信モジュール６０は、携帯機器５０のためのすべての電気通信データ、例えば通話、テキストメッセージ、ｅメール、及び携帯機器５０にインストールされたアプリケーションにより確立される他の通信チャネルを受信及び送信するように動作することができる。携帯機器５０がドッキングされ、携帯機器５０とドッキングステーション１０との間の通信リンクが無線通信モジュールにより確立されると、電気通信データの少なくとも一部分が電気通信モジュール６０と短距離無線通信モジュール６２との間で交換される。このデータは次に短距離無線通信モジュール３０のＨＣＩ３２及びドッキングステーションの適切な入力／出力モジュールに送信される。同様に、ドッキングステーションの入力／出力モジュールで受信されたデータはドッキングステーションの短距離無線通信モジュール３０のホストコントローラインタフェース３２を介して携帯機器５０に送信することができる。Ｉ／Ｏモジュールから受信される所定のデータは、ホストコントローラインタフェース３２により送信される前に、最初にマイクロプロセッサ３４で処理される。
【００４８】
実際には、携帯機器から開始される通話又はそれにより受信される通話はドッキングステーションのマイクロフォン及びスピーカを用いて行うことができる。
【００４９】
以上の説明は特定の実施形態について記載しているが、添付の請求の範囲で特定される範囲を逸脱することなく様々な変更が可能であることは当業者に明らかであろう。
【図１】
2014521292.tif 000003
【図２】
2014521292.tif 000004
【図３】
2014521292.tif 000005
【図４】
2014521292.tif 000006
【図５】
2014521292.tif 000007
【図６】
2014521292.tif 000008
【図７】
2014521292.tif 000009
【図８】
2014521292.tif 000010
【図９】
2014521292.tif 000011
【図１０】
2014521292.tif 000012
【図１１】
2014521292.tif 000013
【図１２】
2014521292.tif 000014
【国際調査報告】
2014521292.tif 000015
2014521292.tif 000016